(57)【要約】      （修正有）【課題】水洗トイレ装置を使用する都度、液体洗剤を含む水道水を供給することにより、水洗便器内壁面を常に清掃済の状態に保つことを可能にするタンクの水洗水にトイレ洗浄用の液体洗剤を供給する装置を提供する。【解決手段】液体洗剤収容空間と被支持位置で前記タンク内の水道水表面の上位置に設けられるタンク壁に設けられた１以上の点滴開口孔を有する液体洗剤容器と、１端が前記容器の被支持位置で空気を前記容器の点滴開口孔の上部壁面内に導入するチューブ６と、チューブ６の弾性部分を挟み付けてチューブ内の通過断面積を変化させて液体洗剤の滴下量を調製する滴下調節器５と、建物等の一部、タンク、またはタンクの付属部分により液体洗剤容器とチューブ６を、その点滴開口孔１Ｃから滴下し、液体洗剤がタンク内の洗浄水表面に達するように支持する支持器４とから構成されている。【選択図】図１
0003185851.tif 000002
【実用新案登録請求の範囲】
【請求項１】
水洗トイレ装置のタンクの水洗水にトイレ洗浄用の液体洗剤を供給する装置であって、液体洗剤収容空間と被支持位置で前記タンク内の水道水表面の上位置に設けられるタンク壁に設けられた１以上の点滴開口孔を有する液体洗剤容器と、
１端が前記容器の被支持位置で空気を前記容器の点滴開口孔の上部壁面内に導入するチューブと、
前記チューブの弾性部分を挟み付けてチューブ内の通過断面積を変化させて液体洗剤の滴下量を調製する滴下調節器と、
建物等の一部、タンク、またはタンクの付属部分により前記液体洗剤容器とチューブを、その点滴開口孔から滴下し、液体洗剤がタンク内の洗浄水表面に達するように支持する支持手段と、
から構成したタンクの水洗水にトイレ洗浄用の液体洗剤を供給する装置。
【請求項２】
請求項１記載の液体洗剤供給装置において、
前記液体洗剤容器の点滴開口孔を持つ下端部と本体部分は別体に設けられ結合部が着脱可能で密封結合可能な形状としたタンクの水洗水にトイレ洗浄用の液体洗剤を供給する装置。
【請求項３】
請求項１または２記載の液体洗剤供給装置において、
前記支持手段は、前記タンクの蓋に設けられた受け孔，またはタンクの付属品または固定位置に一端が固定され他端が液体洗剤容器を支持するアームであることを特徴とするタンクの水洗水にトイレ洗浄用の液体洗剤を供給する装置。
【考案の詳細な説明】
【技術分野】
【０００１】
本考案は、水洗トイレのタンクの水洗水にトイレ洗浄用の液体洗剤（トイレ用洗剤、食器用洗剤等、以下同様）を供給する装置に関する。
さらに詳しく言えば水洗トイレ装置を使用する都度、液体洗剤を含む水道水を供給することにより、水洗便器内壁面を常に掃除済の状態に保つことを可能にするために、水洗水にトイレ洗浄用の液体洗剤を自動的に供給する装置に関する。
【背景技術】
【０００２】
従来より、一定の水等を連続的または間欠的に提供する装置等に関連する技術として後述する特許文献１〜５記載の盆栽等の小規模灌水装置や，水洗トイレ装置の水洗水消毒剤等を提供する装置が知られている。しかし、清掃・美化の観点から洗浄液剤を提供する使い勝手のよい装置は知られていない。
【先行技術文献】
【特許文献】
【０００３】
【特許文献１】実用新案登録第３０６９９４６号公報
【特許文献２】実用新案登録第３０６２１０３号公報
【特許文献３】特開２０１３−７４８３１号公報
【特許文献４】実公昭６２−５１０８号公報
【特許文献５】特開平７−１１６８５号公報
【考案の概要】
【考案が解決しようとする課題】
【０００４】
本考案の目的は、日常生活に不可欠である水洗トイレ装置に関連し、常に自動的に清掃済の状態を形成する、水洗水にトイレ洗浄用の液体洗剤を供給する装置を提供することにある。
【課題を解決するための手段】
【０００５】
本考案のノズルは、水洗トイレ装置のタンクの水洗水にトイレ洗浄用の液体洗剤を供給する装置、さらに詳しく言えば水洗トイレ装置を使用する都度、洗浄液を含む水道水を供給することにより、水洗便器内壁面を常に掃除済の状態を保つことを可能にするために、水洗水にトイレ洗浄用の液体洗剤を供給する装置を提供することにある。
【０００６】
前記目的を達成するために、本考案による請求項１記載の装置は、水洗トイレ装置のタンクの水洗水にトイレ洗浄用の液体洗剤を供給する装置であって、液体洗剤収容空間と被支持位置で前記タンク内の水道水表面の上位置に設けられるタンク壁に設けられた１以上の点滴開口孔を有する液体洗剤容器と、１端が前記容器の被支持位置で空気を前記容器の点滴開口孔の上部壁面内に導入するチューブと、前記チューブの弾性部分を挟み付けてチューブ内の通過断面積を変化させて液体洗剤の滴下量を調製する滴下調節器と、建物等の一部、タンク、またはタンクの付属部分により前記液体洗剤容器とチューブを、その点滴開口孔から滴下し、液体洗剤がタンク内の洗浄水表面に達するように支持する支持手段と、から構成されている。
【０００７】
本考案の請求項２記載の装置は、請求項１記載の液体洗剤供給装置において、前記液体洗剤容器の点滴開口孔を持つ下端部と本体部分は別体に設けられ結合部が着脱可能で密封結合可能な形状としたものである。
【０００８】
本考案の請求項３記載の装置は、請求項１または２記載の液体洗剤供給装置において、前記支持手段は、前記タンクの蓋に設けられた受け孔，またはタンクの付属品または固定位置に一端が固定され他端が液体洗剤容器を支持するアームであることを特徴とするものである。
【考案の効果】
【０００９】
前記請求項１記載の構成によれば、液体洗剤の間欠点滴供給により、装置使用の都度常に便器を清掃後の状態に保つことができる。なお、タンクの中も同様な状態に保たれる。
前記請求項２記載の構成によれば、容器の主要部に液体洗剤のボトルを使用できる。
前記請求項３記載の構成によれば、手洗管つきのタンク等に本考案による装置を好適に利用できる。
本考案による装置を用いると、便器のウォ−タラインに沿って発生する汚染の発現の抑止や除去が可能になる。
【図面の簡単な説明】
【００１０】
【図１】図１のＡ部は、本考案によるタンクの水洗水にトイレ洗浄用の液体洗剤を供給する装置の実施例１（本体ノズル着脱形液体洗剤容器）の使用状態を示す斜視図であり、同図Ｂ部は、本体・ノズル結合形の液体洗剤容器の結合構造を拡大して示した図であり、同図Ｃ部は支持器の固定手段の例を示す図である。
【図２】図２は、本考案によるタンクの水洗水にトイレ洗浄用の液体洗剤を供給する装置の実施例２（本体・ノズル一体液体洗剤容器）の使用状態を示す斜視図である。
【図３】図３のＡ部は、本考案によるタンクの水洗水にトイレ洗浄用の液体洗剤を供給する装置の実施例３（本体・ノズル一体液体洗剤容器，または別体型の何れも可能）の支持器がタンクの蓋の孔を利用する物の実施例を示す図であり、同図Ｂは、タンク内の滴下状態を示図である。
【図４】図４のＡ部は滴下量調節器の正面図、同図のＢ，Ｃ部はチューブの弾性部分を挟み付けてチューブ内の通過断面積を変化させて液体洗剤の滴下量を調製する原理を説明するための水平断面図である。
【図５】図５は、一般的な洗浄水タンクの内部構造を示す斜視図であり、内部構造を示すために一部破断して示してある。
【図６】図６のＡ部は、水洗便器の内部構造を示す垂直断面図であり、同図Ｂ部はａ／ウォーターラインに沿って発生する汚れのリングを示す平面図である。
【考案を実施するための形態】
【００１１】
以下、図面を参照して本考案によるタンクの水洗水に便器内洗浄用の液体洗剤を供給する装置の実施例をさらに詳しく説明する。
本考案に係る装置が適用される水洗トイレ装置は、例えば図５示すようなタンク装置と図６に示す様な便器を組み合わせた装置に用いられる。タンクと便器の組合せ、タンクの本体と蓋との組合せは種々あるが、本考案に係る装置は通常予想されている組合せに対応して目的を達成出来るように構成されている。
実施例１は液体洗剤容器の本体部とノズル部を分離可能にしたものである。
実施例２は液体洗剤容器の本体部とノズル部を一体構成にしたものである。
実施例３は液体洗剤容器をタンクの蓋自体に液体洗剤容器の支持孔を設けこれを支持器として利用するものであり、液体洗剤容器が本体部とノズル部が分離可能か否かを問わないで液体洗剤容器の支持構造にする特徴を備えるものである。
【実施例１】
【００１２】
図１のＡ部は、本考案によるタンクの水洗水にトイレ洗浄用液体洗剤を供給する装置の実施例１（本体とノズルの着脱形液体洗剤容器）の使用状態を示す斜視図であり、同図Ｂ部は本体とノズルの着脱を示す拡大断面図である。液体洗剤容器１の本体部１Ａとノズル部１Ｂは、別体に設けられ、本体部１Ａの下端の雄ねじ部とノズル部１Ｂの雌ねじ部はねじ結合されている。本体部１Ａとして市販の洗剤容器ボトルをノズル部１Ｂにねじ結合してそのまま使用できる。ノズル部１Ｂの下端には液剤排出用の点滴開口孔１Ｃが設けられている。
【００１３】
液体洗剤容器１は支持手段４により支持されている。ノズル部１Ｂにはチューブ６が接続されており、チューブ６の１端は、前記容器の被支持位置で空気を前記容器の点滴開口孔の上部の容器壁面内に空気を導入する。この空気の流入量により、洗剤の滴下の量が決まる。この洗剤の滴下の量は図４に示す滴下調節器５によってなされる。同図Ｃ部は支持器の固定部の例を示す図である。支持器４は固定部の固定締め付けリング４ａ，４ｂ、アーム４ｃ，４ｅおよびアームを連結する関節部４ｄから構成されている。
【００１４】
図６に示す便器７に洗浄水を供給するタンク３は概ね図５に示すような構成となっている。そしてタンク３のタンク蓋３Ａａ（手洗用容器蓋付き）を供える場合が多い。
タンク本体３Ｂには、図示しない水道配管から止水栓３Ｂａ（図５）を介して水道水が接続される。
ア．使用前のタンク３の中には、オーバーフロー管３Ｂｆの先端から２〜３ｃｍ下（標準水位と言う）まで水がたまっている。この水面に前記液体洗剤容器１から洗剤が直接滴下または導かれる。
イ．便器使用後使用者がタンク３のレバーハンドル３Ｂｅをまわすと、鎖３Ｂｈによってゴムフロート３Ｂｇが持ちあがり、タンク３内の水が便器７（図７Ａ参照）へと流れ出る。タンク内の水が減ってくると浮玉３Ｂｄも下がり、ボールタップ３Ｂｂの弁が開いてタンク３Ｂ内への給水が始まる。
ウ. フロートバルブ３Ｂｇが閉まると、ボールタップ３Ｂｂを介して供給される水道給水で、タンク３Ｂ内に水が溜まり始める。水位の上昇と同時に浮玉３Ｂｄも上がり、ボールタップ３Ｂｂが閉じられることにより最終的に給水が止まる。→ア．  
【００１５】
実施例１では、液体洗剤容器１は、本体部（ペットボトル部）１Ａと下端部（ノズル部）１Ｂからなり、ノズル部にはチューブ６が接続されており、下端には点滴開口孔１Ｃが設けられている。
このような点滴開口孔１Ｃは、例えば特許文献１記載の装置で１以上設けられノズル部を土中、または水中に放射方向に複数個設ける例を開示しているが本考案の場合は通常１個で足りる。本考案の場合は、液面に滴下することが肝要であり点滴開口孔１Ｃはタンクの液面下にしてはならない。
【００１６】
液体洗剤容器１は、前述したように図１に示すように支持手段４により、タンク蓋３Ａ上に吐出口が配置されている手洗管３Ｃに支持されている。
液体洗剤容器１に接続されているノズル部１Ｂにはチューブ６の一端が接続され、容器１の被支持位置で空気を前記容器の点滴開口孔の上部の容器壁面内に導入する。この空気の流入量により、洗剤の滴下の量が決まる。この洗剤の滴下の量は図４に示す滴下調節器５によってなされる。チューブ６はその先端をチューブ保持具８により液体洗剤容器１に沿わせて容器と一体的に支持されるようにしてある。なお別に固定することを妨げない。滴下調節器５はいずれの実施例においても不可欠であり、次に詳しく説明する。
【００１７】
（滴下調節器の実施例）
図４のＡ部は滴下量調節器の正面図、同図のＢ，Ｃ部はチューブの弾性部分を挟み付けてチューブ内の通過断面積を変化させて液体洗剤の滴下量を調製する原理を説明するための略図である。滴下調節器５は、Ｂ，Ｃ部に示すように四角の筒状体５ｈの左右の壁面に溝状のカム５ｃ，５ｃが設けられ、正面の表面には開度（０，１，２，３・・・・１０）を示すスケールス５ａが付されている。
断面Ｔ状のスライダの一端５ｂは、カム溝５ｃから図示のように左方向に突出して開度を示すポインタとして機能している。
案内溝５ｄから後方に突出するスライダの摘まみ５ｅを動かしてスライダ５ｆをＡ部で上から下に移動させることにより、図のＢ部に示すチュ−ブ６の全開（開度１０）の状態から図のＣ部に示す半開の状態を経てスケール０の位置で全閉の状態にすることができる。これに類似する調節装置は、特許文献１〜４の植物灌水用にも使用されている。本考案の場合は供給量の調節の他に、長期間の休暇や連休において利用され無い場合を想定して、滴下量調節器に滴下遮断の機能を与える必要がある。この例では、開度スケール０の位置にスライダ５をもたらすことにより実現できる。
【００１８】
（実施例１の動作）
前述の構成の実施例１において、図１のように洗剤が充填されている洗剤容器１Ａ，１Ｂと滴下調節器５を支持器４より蓋（手洗用）３Ａａ上に支持すると液体洗剤の滴下が開始される。
（洗剤の濃度）水洗トイレ装置を使用して使用者がレバー３Ｂｅ（図５参照）を操作すると排水弁３Ｂｉが開き液体洗剤を含む洗浄水がタンク３から図６の便器７に供給される。
実施例に共通することであるが、本考案による装置では、タンクから供給される便器７の内表面洗浄水に含まれる液体洗剤の濃度は任意の洗浄から次の洗浄までの期間の長さに比例して増大する。使用頻度が高い程、濃度は小さくなり薄くなることになる。自然に理想的な濃度調製がされ、次に述べる汚染リングの除去に寄与できる。
なお特許文献５記載の水洗水の薬剤溶解装置は便器使用ごとに自動的に定量の薬剤を供給するように成っており使用間隔に依存しない構成になっている。
【００１９】
（汚染リングの除去）タンク３から、便器に供給された液体洗剤を含む洗浄水は便器７の傾斜した内壁面７ｄの上外周からウォ−タライン７ｃ（洗浄終了時の内壁面７ｄと水面７ａの形成する円ないし長円状の吃水線）に向かって勢い良く流れ落ちる。このとき、ウォ−タ−ライン７ｃに沿って洗剤に起因する発泡のリングが形成される。
このリングがウォ−タライン７ｃにそって生成される汚染帯の発生の防止に寄与する。この汚染輪帯（茶褐色である場合が多い）はサボッタリング（掃除をしない結果の汚染輪帯の発生の意）と云われることもある。
ウォ−タ−ライン７ｃに沿って洗剤に起因する発泡のリングが形成され汚染帯の発生の防止に寄与すると共にそれによりある種の清潔感が発生する。
【実施例２】
【００２０】
図２に示す実施例２は、実施例１の装置が、前記液体洗剤容器の点滴開口孔を持つ下端部１Ｂと本体部分１Ａが、別体に設けられ結合部が着脱可能で密封結合可能な形状であるのに対して，両者が一体に設けられている点を除き形態および動作に異なる所はない。
実施例１と同様に自然に理想的な濃度調製がされ、汚染リングの除去に寄与できる。この実施例２でも本体部分１Ａに開口と着脱可能の密封キャップを設けることにより、液体洗剤の入れ替え追加は構成することも可能になる。
【実施例３】
【００２１】
図３に示す実施例３の構成は前述の各実施例と、前記液体洗剤容器とチューブを支持する支持構造が、タンクの蓋３Ａｂに設けた孔３Ａｂｃで足り、前記各実施例で使用した支持器を必要としない点に特徴がある。
なお図３において洗剤容器は、本体部１Ａとノズル部１Ｂが分離可能であるか否かは問わない。また図において滴下調節器を省略してあるが、滴下量の調節および滴下遮断はともに不可欠である。この実施例では、ノズル部１Ｂの先端部は設定後は使用者が直視できない状態になるので、タンク満水時にノズル部１Ｂの先端部が、洗浄水面と接触しない状態で蓋に固定する必要がある。
上記支持形態で使用者がタンク３のレバーを操作すると先の実施例と同様な動作が成される。
【００２２】
（変形例等）
以上詳しく説明した実施例について、本考案の範囲で種々の変形を施すことができる。陶製の和風便器についても同様に利用でき、汚染輪帯は、きんかくし寄りの略円状のものと小判を引き延ばしたような輪帯が現れるが、前述同様に洗浄により除去される。
また液体洗剤のみならず、殺菌剤や、芳香剤の混入も可能である。さらに、容器のノズル部は土壌に挿入されるものではないから、固い素材を用いに必要はなく洗剤容器と同様な素材や医療に用いられる点滴の袋と同様な材質のものを利用しても良い。
【産業上の利用可能性】
【００２３】
本考案による装置は、家庭用雑貨の製造産業の分野、同販売の分野で広く利用できる。
【符号の説明】
【００２４】
１  液体洗剤容器
１Ａ  本体部（ペットボトル部）
１Ｂ  下端部（ノズル部）
１Ｃ  点滴開口孔
３    タンク
３Ａ  タンク蓋
３Ａａ  蓋（手洗用）
３Ａｂ  手洗用排水孔
３Ａｂａ  支持器として使用される蓋の排水孔
３Ａｂｃ  支持器として使用される蓋の孔
３Ｂ  タンク本体
３Ｂａ  止水栓
３Ｂｂ  ボールタップ
３Ｂｃ  アーム
３Ｂｄ  浮球
３Ｂｅ  レバー
３Ｂｆ  オーバーフロー管
３Ｂｇ  ゴムフロート
３Ｂｈ  鎖
３Ｂｉ  排水弁
３Ｃ  手洗管    
３Ｐ  タンク内の水面
４    支持器
４ａ，４ｂ  固定締め付けリング
４ｃ，４ｅ  アーム
４ｄ  関節部
５    滴下調節器
５ａ  滴下調節器の開度スケール
５ｂ  滴下調節器のポインタ
５ｃ  滴下調節器のカム溝
５ｄ  スライダ案内溝  
５ｅ  スライダの操作摘まみ
５ｆ  スライダ
５ｇ  滴下調節器の角筒状体
６    チューブ
７    便器
７ａ  洗浄水たまり表面
７ｂ  水たまり
７ｃ  ウォ−タライン
７ｄ  便器の内壁面
８    チューブ保持具
【図１】
0003185851.tif 000003
【図２】
0003185851.tif 000004
【図３】
0003185851.tif 000005
【図４】
0003185851.tif 000006
【図５】
0003185851.tif 000007
【図６】
0003185851.tif 000008